(57)【要約】【課題】  組み立て式で非使用時にコンパクトな形態とでき、組み立てが容易に行われる組み立て式ストレッチャーを提供することを目的とする。【解決手段】  周囲の枠部５０と、枠部５０に張設されるベッドシート５２とからなり、長手方向の途中部で両端側が折り畳まれる構造である折り畳みベッド体において、ベッド部３を伸長した際における、枠部５０の折り畳み位置での折れ曲がりを阻止する折れ曲がり阻止具８０が設けられた構成と、下面の前後両端にキャスター１０が取り付けられた下台部２と、下台部２上に設置されるベッド部３とからなる組み立て式ストレッチャーであり、下台部２とベッド部３とは分離可能であり、ベッド部３が上記折り畳みベッド体畳みベッド体である組み立て式ストレッチャー。【選択図】図１
2018069013.tif 000002
【特許請求の範囲】
【請求項１】
周囲の枠部と、前記枠部に張設されるベッドシートとからなり、長手方向の途中部で両端側が折り畳まれる構造である折り畳みベッド体において、
当該ベッド装置を伸長した際における、前記枠部の前記折り畳み位置での折れ曲がりを阻止する阻止具が設けられてなることを特徴とする折り畳みベッド体。
【請求項２】
下面の前後両端にキャスターが取り付けられた下台部と、前記下台部上に設置されるベッド部とからなる組み立て式ストレッチャーであり、
前記下台部と前記ベッド部とは分離可能であり、
前記ベッド部が請求項１記載の折り畳みベッド体である、
ことを特徴とする組み立て式ストレッチャー。
【発明の詳細な説明】
【技術分野】
【０００１】  この発明は、介護等において使用される折り畳みベッド体及び組み立て式ストレッチャーに関する。
【背景技術】
【０００２】  最近では介護現場においてもストレッチャーが必要とされることが多い。しかしながらストレッチャーは大形あるので広い配置スペースが必要となり、介護施設等においてはその設置場所に困る。また、被介護者の車による搬送の際、迎えに行く被介護者の状態が変化した場合等において急にストレッチャーが必要となる場合があり、その際には介護施設にストレッチャーを取りに戻らなければならず、非常に手間がかかる。そこで、最近では非使用時にはベッド部と下台部とが分離可能でコンパクトとなり、使用時に組み立てられる組み立て式ストレッチャーの開発が進められている。
【発明の概要】
【発明が解決しようとする課題】
【０００３】  この発明は上記の事情に鑑みて行ったもので、組み立て式で非使用時にコンパクトな形態とできるとともに、組み立てが容易に行われる組み立て式ストレッチャーを提供することを目的とする。
【課題を解決するための手段】
【０００４】  この発明では、周囲の枠部と、前記枠部に張設されるベッドシートとからなり、長手方向の途中部で両端側が折り畳まれる構造である折り畳みベッド体において、当該ベッド体を伸長した際における、前記枠部の前記折り畳み位置での折れ曲がりを阻止する折れ曲がり阻止具が設けられてなることを特徴とする折り畳みベッド体と、下面の前後両端にキャスターが取り付けられた下台部と、前記下台部上に設置されるベッド部とからなる組み立て式ストレッチャーであり、前記下台部と前記ベッド部とは分離可能であり、前記ベッド部が上記折り畳みベッド体畳みベッド体であることを特徴とする組み立て式ストレッチャーとを提供する。【０００５】  上記構成の折り畳みベッド体は、伸長した際に折れ曲がり阻止具により枠部の折り畳み位置での折れ曲がりが阻止されるので、折り畳みベッド体の伸長状態が安定して維持され、その取扱いが容易になされる。上記構成の折り畳みベッド体を使用する組み立て式ストレッチャーは、折り畳みベッド体の伸長状態が安定して維持されるので組み立て時等にその取扱いが容易になされ、とくに、下台部上への折り畳みベッド体の位置合わせしながらの設置作業が容易に行え、一人の作業者によっての組み立てが可能となる。
【発明の効果】
【０００６】  この発明によれば、伸長状態が安定して維持されてその取扱いが容易になされる折り畳みベッド体が得られ、さらに、その折り畳みベッド体が使用されることで、組み立て作業が容易に行われる組み立て式ストレッチャーが得られる。
【図面の簡単な説明】
【０００７】
【図１】  この発明の組み立て式ストレッチャーの外観斜視図
【図２】  この発明の組み立て式ストレッチャーの下台部とベッド部（折り畳みベッド体）との分離状態の斜視図
【図３】  この発明の組み立て式ストレッチャーの下台部の扁平形態状態の斜視図
【図４】  この発明の組み立て式ストレッチャーのベッド部の単独使用の際の斜視図
【図５】  この発明の組み立て式ストレッチャーの下台部とベッド部との積層状態の斜視図
【図６】  この発明の組み立て式ストレッチャーの下台部とベッド部との積層固定状態の斜視図
【図７】  この発明の組み立て式ストレッチャーのベッド部における折れ曲がり阻止構造説明のための拡大部分斜視図
【図８】  この発明の組み立て式ストレッチャーのベッド部における折れ曲がり阻止構造説明のための拡大部分斜視図
【図９】  この発明の組み立て式ストレッチャーのベッド部における折れ曲がり阻止構造説明のための拡大部分斜視図
【図１０】  この発明の組み立て式ストレッチャーのベッド部における折れ曲がり阻止構造説明のための拡大部分側面図
【発明の好ましい実施形態】
【０００８】  図１はこの発明の組み立て式ストレッチャーの斜視図、図２は同分離状態の斜視図である。組み立て式ストレッチャー１は下台部２とその上部に設置されるベッド部（折り畳みベッド体）３とからなり、それぞれは分離可能となっている。
【０００９】  下台部２は金属製で、上側部４と下側部６とが折り畳み部８を介して連結されて構成され、下側部６の下面の前後両端にはキャスター１０のそれぞれが取り付けられている。
【００１０】  上側部４の両側の枠体１２それぞれの内面の一端側にはガイド溝１４が設けられたガイド体１６が取り付けられている。さらに、枠体１２それぞれの外面の両端近傍には鋼材が折り曲げ形成されたベッド部３の嵌合取り付け片１１のそれぞれが固着され、それらの傍位置には抜け止めピン１３のそれぞれがチェーンに連結されて取り付けられている。枠体１２それぞれの端部は枠パイプ１８それぞれを介して連結されている。２０は伸縮パイプ、２２は移動パイプであり、伸縮パイプ２０は太径パイプ２４と細径パイプ２６とからなる。太径パイプ２４の一端が上記移動パイプ２２の中央に連結固定され、細径パイプ２６の一端が上記一方の枠パイプ１８の中央に連結固定され、細径パイプ２６の他端側が太径パイプ２４の他端側に嵌入され、その嵌入長さが変化することで伸縮パイプ２０は伸縮可能となっている。図３に示すように、細径パイプ２６には２個のロック穴２５が、太径パイプ２４には１個のロック穴２７設けられている。移動パイプ２２はその両端に取り付けられた係止片２８のそれぞれが上記ガイド体１６のガイド溝１４それぞれに係止され、係止片２８がガイド溝１４に沿って移動することで移動パイプ２２は枠体１２に沿って移動可能に設けられている。
【００１１】  下側部４は両側の枠パイプ３０のそれぞれと両端の枠パイプ３１のそれぞれとが角部において連結具３４それぞれにより連結固定されるとともに、枠パイプ３０間に移動パイプ３５が設けられて構成されている。連結具３４それぞれの下面にはキャスター１０のそれぞれが取り付けられている。移動パイプ３５は両端に筒部３７を備え、それら筒部３７が枠パイプ３０に移動可能に外嵌されることで移動パイプ３５は枠パイプ３０に沿って移動可能に設けられている。
【００１２】  折り畳み部８は交差状に接触配置される一対の交差パイプ４０のそれぞれと、その交差パイプ４０の交差位置それぞれを回動可能に軸支持する軸支持棒３２とから構成される。交差パイプ４０を構成する４本のパイプ４４それぞれの上端は上側部４の一方側の枠パイプ１８のそれぞれと移動パイプ２２のそれぞれとに回動可能に軸支され、それぞれの下端は下側部４の一方側の枠パイプ３１のそれぞれと移動パイプ３５のそれぞれとに回動可能に軸支されて取り付けられている。一本のパイプ４４にはロックピン４３がチェーンに連結されて取り付けられている。
【００１３】  ベッド部３は周囲を構成する枠部５０と、枠部５０に張設される１枚のベッドシート５２とから構成される。枠部５０は一対のコ字状に折れ曲がる枠パイプ５３それぞれの両端が連結具５４（図５以降において現れる。）に回動可能に連結され、ベッド部３はその連結位置においてその両側部分が下方に折り曲げられて折り畳み可能とされている。連結具５４はベッド部３が伸長されて使用される状態においては折れ曲がり阻止具８０により覆われている。
【００１４】  図７から図１０を用いてベッド部３の枠パイプ５３それぞれの連結位置における折れ曲がり阻止構造を説明する。折れ曲がり阻止具８０は鉄製のレバー８２とその上面に固定具８４により取り付けられる面状ファスナー８６とからなる。面状ファスナー８６の両面には接合係止のための小突起が多数設けられている。レバー８２はその一端側が一方の枠パイプ５３の端部上に軸支ピン８８により回動可能に取り付けられ、他端側には係止凹部９０が設けられている。他方の枠パイプ５３の端部上にはレバー８２の係止凹部９０が係止される係止ピン９２が取り付けられている。図７に示す状態においてレバー８２が矢印方向に回動されることで係止凹部９０が、図８に示すように、係止ピン９２に係止される。その状態において矢印方向に面状ファスナー８６が回されて、突き合わされる枠パイプ５３それぞれの端部、連結具５４、レバー８２が、図９に示すように、一体に包まれて巻回固定される。
【００１５】  上記の面状ファスナー８６によって巻回固定された状態においては、図１０に示すように、両方の枠パイプ５３の端部のそれぞれが阻止具８０のレバー８２により上方から固定状態に位置決めされるので、両方の枠パイプ５３の端部が上方に突出できす、これにより、ベッド部３は連結位置の両側部分が下方となるように折れ曲がることが阻止される。逆方向への折れ曲がりは、連結具５４の下部５５が両方の枠パイプ５３それぞれの端部の下面を支持していることで阻止される。このようにして、ベッド部３の伸長状態が安定して維持されるようになっている。上記のように面状ファスナー８６によって巻回固定する構成により、レバー８２が係止ピン９２から外れず、また面状ファスナー８６により金属製の連結具５４、レバー８２が覆われるので、手等を傷つけることが回避される。９５のそれぞれは枠パイプ５３の端面開口に装着される樹脂キャップであり、ベッド部３を伸長させる際に枠パイプ５３の端部間に指が挟まれることを回避するように設けられている。
【００１６】  枠パイプ５３のそれぞれには下台部２への取り付け用の嵌合係止部５６のそれぞれと、ベッドサイドガードの差し込み取り付け部５８のそれぞれが取り付けられている。嵌合係止部５６のそれぞれにはロック穴５７が設けられている。また、図４に示すように、一方の枠パイプ５２には一対の持ち手部５９が、他方の枠パイプ５２には一対のキャスター６０がともに下面側に折り畳み可能に取り付けられるとともに、他方の枠パイプ５２の端部には脚支持部６２が上面側に折り畳み可能に取り付けられている。
【００１７】    ベッド部３は両端が持たれることで単独で担架としての使用が行える。また、図４に示すようにして、持ち手５９とキャスター６０とで支持させることで床上に簡易ベッドとして設置できるとともに、その状態から持ち手５９側を持ち上げて押すことで一人で被介護者の搬送が行え、その際には起立された脚支持部６２に足が係止されて被搬送者が前方にずり落ちることが防がれる。このような使用に際しても、上記したように折れ曲がり阻止具８０により折れ曲がりが阻止されてベッド部３の伸長状態が安定していることで、その取扱いが容易に行われる。
【００１８】  組み立て式ストレッチャー１は折り畳み部８が畳まれないで所定の高さを保つ状態において、下台部２の嵌合取り付け片１１のそれぞれに嵌合係止部５６のそれぞれが上方から嵌合されてベッド部３が装着され使用状態とされる。この装着に先立ってベッド部３は図５に示す折り畳んだ状態から開かれた際に、折れ曲がり阻止具８０のレバー８２が係止ピン９２に係止されて面状ファスナー８６が巻回される状態とされる。抜け止めピン１３のそれぞれがロック穴５７に差し込み固定されることでベッド部３が下台部２から離脱することが阻止される。また、伸縮パイプ２０おいて、ロックピン４３がロック穴２７を通してロック穴２５に通されることで太径パイプ２４と細径パイプ２６とは固定状態となり、これにより移動パイプ２２が固定されて交差パイプ４０のそれぞれも固定状態となり、組み立て式ストレッチャー１はそのベッド部３が所定の高さに保たれる。図２においては右側のロック穴２５を使用しているが、左側のロック穴２５を使用することでベッド部３をより高い位置として使用できる。
【００１９】  上記の下台部２上へのベッド部３の装着を一人で行う際には、ベッド部３の中央の連結部の両側部分それぞれを左右のそれぞれの手で支えながら行うこととなる。その際ベッド部３が少しでも折れ曲がると嵌合係止部５６を取り付け片１１に嵌合することが困難となるが、ベッド部３が折れ曲がらないことでその装着作業が一人で容易に行われる。
【００２０】  組み立て式ストレッチャー１の非使用時には、抜け止めピン１３のそれぞれがロック穴５７それぞれから外されてベッド部３が上方に持ち上げられることで、嵌合取り付け片１１のそれぞれが嵌合係止部５６のそれぞれから抜け、ベッド部３は下台部２から取り外される。
【００２１】  以下、非使用時の組み立て式ストレッチャー１の設置時おける形態を説明する。下台部２から外されたベッド部３は折れ曲がり阻止具８０のレバー８２が係止ピン９２から外されて連結具５４部分で折り曲げられて折り畳み状態とされる。下台部２はロックピン１３がロック穴２７、ロック穴２５から抜かれると、上側部４の自重がかかることで交差パイプ４０のそれぞれが折り畳まれ、これにより下台部２は上下方向において縮小し、上側部４が下側部６上に重なった扁平形態となる。上記の縮小の際には、伸縮パイプ２０において太径パイプ２４が細径パイプ２６から抜ける方向に移動してその太径パイプ２４に一体の移動パイプ２２が枠体１２に沿ってし移動するとともに、移動パイプ３５が枠パイプ３０に沿って移動する。
【００２２】  次に、図５に示すように、扁平形態とされた下台部２は上下が逆方向とされ、嵌合取り付け片１１のそれぞれが脚として床面に置かれる。その下台部２の下側部６下面の両端のキャスター１０の間に折り畳まれたベッド部３が積層配置され、図６に示すように、使用時においてベッド部３上に敷設されるクッションマット７０を介して２本の固定ベルト７２により一体に固定される。その際には、下台部２が嵌合取り付け片１１のそれぞれが脚とされて床面に置かれることで、上側部４と床面との間に空間が形成されるので、固定ベルト７２の装着作業が容易に行われるとともに、ベッド部３が床面に近接しないことで汚れたり濡れたりすることが防がれて衛生上好ましい。
【００２３】  折り畳んだベッド部３の長さＬ１が両端のキャスター１０間距離Ｌ２より若干小さく、かつ、折り畳んだベッド部３の厚さＷ１がキャスター１０の突出距離Ｗ２より小さく設計されていることで、折り畳まれたベッド部３は下台部２からその端部が外方に突出せずに両端がキャスター１０間に位置決めされるとともに、キャスター１０より上方に突出することなく、下台部２の下側部６の下面に安定して納まり良く固定される。
【００２４】  上記のようにして得られた積層固定体１００は、折り畳んだベッド部３が扁平とされた下台部２の下面のキャスター１０間にキャスター１０より上方に突出することなく納められたことでコンパクトなものとなり、介護施設内や介護者の搬送車内に広いスペースを要することなく設置できる。また、コンパクトであることで、固定ベルト７２に吊り下げ具を取り付けたり、全体をバッグに納めたりすることで、その持ち運びが一人で行える。
【符号の説明】
【００２５】１    組み立て式ストレッチャー
２    下台部
３    ベッド部（折り畳みベッド体）
１０  キャスター
５０  枠部
５２  ベッドシート
８０  折れ曲がり阻止具
【図１】
2018069013.tif 000003
【図２】
2018069013.tif 000004
【図３】
2018069013.tif 000005
【図４】
2018069013.tif 000006
【図５】
2018069013.tif 000007
【図６】
2018069013.tif 000008
【図７】
2018069013.tif 000009
【図８】
2018069013.tif 000010
【図９】
2018069013.tif 000011
【図１０】
2018069013.tif 000012